(57)【要約】【課題】  ビニールハウスの天井部分において、ビニールシートの強度を確保しながら、その天井部分の全域にわたって均一で良好な換気が可能なビニールハウスを提供する。【解決手段】  ビニールシート１２の天井部分に、ハウス長さ方向の略全長にわたって一定ピッチで多数の円窓１３を形成したので、ビニールハウス１０の天井部分において、ビニールシート１２の強度を確保しながら、その天井部分の全域にわたり均一で良好な換気を行える。また、ビニールハウス１０に窓開閉手段１７を設けたので、簡単な構造で、全ての円窓１３を一括して開閉操作することができる。さらに、ビニールハウスに窓カバー押さえ手段を設けたので、窓カバー１４の強風によるバタつきを防げる。【選択図】図１
0003109427.tif 000002
【実用新案登録請求の範囲】
【請求項１】
複数本のパイプ材からなる骨組と、該骨組を覆うビニールシートとを有したビニールハウスにおいて、
前記ビニールシートの天井部分に、ハウス長さ方向の略全長にわたって一定ピッチで複数の換気用の円窓がそれぞれ形成されたビニールハウス。
【請求項２】
前記天井部分のうち、前記ビニールハウスの幅方向の両側に、複数の前記円窓をそれぞれ形成した請求項１に記載のビニールハウス。
【請求項３】
前記ビニールハウスには、前記ビニールシートに一端が固定され、各円窓を一括して開閉自在に塞ぐ湾曲自在なシート状の窓カバーと、
該窓カバーの他端部が巻回され、ハンドル操作により回転自在な窓開閉軸とを備えた窓開閉手段を設けた請求項１または請求項２に記載のビニールハウス。
【請求項４】
前記ビニールハウスには、前記窓カバーをビニールシートに押さえ付け、一端がビニールシートに固定された押さえバンドと、
該押さえバンドの他端部が巻回され、ハンドル操作により回転自在なシート締緩軸とを備えたカバー押さえ手段を有した請求項３に記載のビニールハウス。
【考案の詳細な説明】
【技術分野】
【０００１】
この考案は、ビニールハウス、詳しくは天井に換気用の窓が形成されたビニールハウスに関する。
【背景技術】
【０００２】
ビニールハウス内の温度は、天候に大きく左右される。すなわち、日照時間により変化する。ビニールハウス内の温度が過度に上昇すると、植物の生育に悪影響を与える。そのため、ビニールハウスの一部を開閉自在に構成し、適宜換気を行なうことで、ビニールハウス内の温度を調整する必要がある。
そこで、従来、小型のビニールハウスであれば、骨組みを覆っているビニールシートの裾を巻き上げ、換気を行なっている。また、大型のビニールハウスでは、側壁の中間部分に換気窓を設けている。
【考案の開示】
【考案が解決しようとする課題】
【０００３】
しかしながら、ビニールハウス内の熱せられた空気は、上昇してビニールハウスの天井部分に溜まってしまう。そのため、ビニールハウスの裾を巻き上げたり、側壁に換気窓を設けただけでは十分な換気を行なうことができなかった。
【０００４】
そこで、考案者は、鋭意研究の結果、ハウスの天井部分に換気窓を設ければ、ビニールハウスの天井部分に溜まった高温の空気を、良好に室外に逃がすことができ、しかもビニールハウスの天井部分において、ビニールシートの強度を確保しながら、その天井部分の全域にわたって均一で良好な換気を行うことができることを知見し、この考案を完成させた。
【０００５】
（１）この考案は、ビニールハウスの天井部分において、ビニールシートの強度を確保しながら、その天井部分の全域にわたって均一で良好な換気を行うことができるビニールハウスを提供することを目的としている。
（２）この考案は、簡単な構造で、全ての円窓を一括して開閉操作することができるビニールハウスを提供することを目的としている。
（３）この考案は、窓カバーの強風によるバタつきを防ぐことができるビニールハウスを提供することを目的としている。
【課題を解決するための手段】
【０００６】
請求項１に記載の考案は、複数本のパイプ材からなる骨組と、該骨組を覆うビニールシートとを有したビニールハウスにおいて、前記ビニールシートの天井部分に、ハウス長さ方向の全長にわたって一定ピッチで複数の換気用の円窓がそれぞれ形成されたビニールハウスである。
【０００７】
請求項１に記載の考案によれば、ビニールハウスの天井に複数の円窓を形成したので、ビニールハウスの天井部分の換気を良好に行うことができる。しかも、仮に、円窓ではなく角窓を採用した場合には、引っ張り力に対する抵抗が小さい隅部が存在してしまう。このように、角窓ではなく隅部が存在しない円窓を採用したので、天井部分のビニールシートに対して、何れの方向から引っ張り力が作用しても、ビニールシートが破れ難い。
また、円窓は、ビニールハウスの長さ方向の全長にわたって、一定ピッチで複数配置されている。そのため、ビニールハウスの天井部分に、仮にビニールハウスの長さ方向の半分程度の大きの角窓を形成したときには得られなかった、この天井部分の全域にわたる均一な換気性を確保することができる。
【０００８】
ビニールハウスの形状は限定されない。例えば、ビニールハウスの天井部分がアーチ形状のものでもよいし、矩形状のものもでもよい。
円窓とは、真円または楕円形の窓をいう。
円窓の大きさは限定されない。また、ビニールハウスの天井部分に１列に円窓を形成してもよいし、２列以上形成してもよい。
円窓の形成方法は限定されない。例えば、切り口の縁が熱により丸まって破れ難くなるレーザ裁断により形成してもよい。
【０００９】
請求項２に記載の考案は、前記天井部分のうち、前記ビニールハウスの幅方向の両側に、複数の前記円窓をそれぞれ形成した請求項１に記載のビニールハウスである。
【００１０】
請求項２に記載の考案によれば、ビニールシートの天井部分に、ハウス長さ方向の全長にわたって一定ピッチで複数の換気用の円窓をそれぞれ形成するようにしたので、ビニールシートの天井部分の強度低下を招くことなく、ビニールハウスの天井部分の一側部だけでなく、他側部にもそれぞれ円窓を形成することができる。その結果、ビニールハウスの天井部分の換気性をさらに高めることができる。
天井部分のうち、ビニールハウスの幅方向の両側においても、円窓は１列に形成してもよいし、２列以上形成してもよい。
【００１１】
請求項３に記載の考案は、前記ビニールハウスには、前記ビニールシートに一端が固定され、各円窓を一括して開閉自在に塞ぐ湾曲自在なシート状の窓カバーと、
該窓カバーの他端部が巻回され、ハンドル操作により回転自在な窓開閉軸とを備えた窓開閉手段を設けた請求項１または請求項２に記載のビニールハウスである。
【００１２】
請求項３に記載の考案によれば、窓閉鎖時には、ハンドルを窓閉鎖側に回転させ、窓開閉軸から窓カバーを繰出して各円窓を一括して閉鎖する。一方、窓開放時には、ハンドルを窓開放側に回転させ、窓開閉軸に窓カバーを巻き取ることで、各円窓を一括して開放する。これにより、簡単な構造で、全ての円窓を一括して開閉操作することができる。
【００１３】
窓開閉手段は、窓カバーと、ハンドル付きの窓開閉軸とを有していれば、その構造は限定されない。
窓カバーの素材は限定されない。例えば、ポリオレフィン、ポリエチレン、ポリプロピレン、ポリ塩化ビニルなどを採用することができる。
窓開閉軸の長さは限定されない。例えば、ビニールハウスの略全長を有してもよい。
【００１４】
請求項４に記載の考案は、前記ビニールハウスには、前記窓カバーをビニールシートに押さえ付け、一端がビニールシートに固定された押さえバンドと、該押さえバンドの他端部が巻回され、ハンドル操作により回転自在なシート締緩軸とを備えたカバー押さえ手段を有した請求項３に記載のビニールハウスである。
【００１５】
請求項４に記載の考案によれば、窓開閉時には、まずハンドルをバンド緩め側に回転させ、シート締緩軸から押さえバンドを繰出して押さえバンドを緩め、窓カバーのビニールハウスの天井部分からの押し付け状態を解除する。その後、前述した窓開閉手段による窓開閉操作を行う。
窓開閉操作後は、ハンドルをバンド締め側に回転させ、シート締緩軸に押さえバンドを巻取ることで押さえバンドを引き締め、窓カバーをビニールハウスの天井部分に押し付ける。これにより、簡単な構造で、窓カバーの風によるバタつきを防止することができる。
【００１６】
カバー押さえ手段は、押さえバンドと、ハンドル付きのシート締緩軸とを有していれば、その構造は限定されない。
押さえバンドの素材は限定されない。例えば、ポリオレフィン、ポリエチレン、ポリプロピレン、ポリ塩化ビニルなどを採用することができる。
シート締緩軸の長さは限定されない。例えば、ビニールハウスの略全長を有してもよい。
【考案の効果】
【００１７】
請求項１に記載の考案によれば、ビニールシートの天井部分に、ハウス長さ方向の略全長にわたって一定ピッチで複数の円窓を形成したので、ビニールハウスの天井部分において、ビニールシートの強度を確保しながら、その天井部分の全域にわたって均一で良好な換気を行うことができる。
【００１８】
特に、請求項２に記載の考案によれば、天井部分のうち、ビニールハウスの幅方向の両側に、複数の円窓をそれぞれ形成したので、ビニールハウスの天井部分の換気性をさらに高めることができる。
【００１９】
また、請求項３に記載の考案によれば、ビニールハウスに窓開閉手段を設けたので、簡単な構造で、全ての円窓を一括して開閉操作することができる。
【００２０】
請求項４に記載の考案によれば、ビニールハウスにカバー押さえ手段を設けたので、窓カバーの強風によるバタつきを防ぐことができる。
【考案を実施するための最良の形態】
【００２１】
以下、この考案の実施例を具体的に説明する。ここでは、説明の都合上、ビニールハウスの長さ方向を前後方向、ビニールハウスの幅方向を左右方向という場合がある。
【実施例１】
【００２２】
図１において、１０はこの考案の実施例１に係るビニールハウスで、天井部分がアーチ形状を有した左右２つのハウス部１０Ａ，１０Ｂが連続したものである。
各ビニールハウス１０は、多数本の金属製のパイプ材からなる骨組１１と、骨組１１を覆うビニールシート１２とを備えている。
以下、その構造を詳細に説明する。
【００２３】
ビニールシート１２の天井部分の頂上付近には、そのビニールハウス１０の幅方向の両側（天井の頂上を挟んだ左右側）に、ハウス長さ方向（前後方向）の略全長にわたって一定ピッチで多数の換気用の円窓１３がそれぞれ１列ずつ形成されている。
また、ビニールハウス１０には、ビニールシート１２に一端が固定され、各円窓１３を一括して開閉自在に塞ぐ湾曲自在なシート状の窓カバー１４と、窓カバー１４の他端部が巻回され、ハンドル１５Ａの操作により回転自在な窓開閉軸１６とを備えた窓開閉手段１７を設けている。
ビニールハウス１０には、窓カバー１４をビニールシート１２に押さえ付け、上端部がビニールハウス１０の天井部分の頂上のビニールシート１２に固定された多数本の押さえバンド１８と、各押さえバンド１８の他端部が軸長さ方向に一定ピッチで巻回され、ハンドル１５Ｂの操作により回転自在なシート締緩軸１９とを備えたカバー押さえ手段２０を有している。
【００２４】
窓カバー１４はポリ塩化ビニル製で、押さえバンド１８はポリオレフィン製である。窓カバー１４および押さえバンド１８は、ビニールハウス１０の各ハウス部１０Ａ，１０Ｂの天井部分の頂上の両側にそれぞれ配置されている。窓カバー１４および押さえバンド１８の長さは、この天井部分のうち、ビニールハウス１０の左右方向の略半分の長さを有している。窓カバー１４の幅は、ビニールハウス１０の略全長の長さを有している。押さえバンド１８の幅は、１５ｃｍ程度である。押さえバンド１８は、隣接する円窓１３間に、ビニールハウス１０の長さ方向に一定ピッチで配置されている。押さえバンド１８の上端部は、ビニールハウス１０の天井部分の頂上には、ビニールハウス１０の長さ方向の全長にわたってがバンド押さえフィルム１８ａ設けられている。バンド押さえフィルム１８ａは、各押さえバンド１８の上端部をビニールハウス１０の天井部分に固定する帯部材である。バンド押さえフィルム１８ａは、隣接する押さえバンド１８間にそれぞれ配置された固定用スプリング１８ｂによりビニールハウス１０に固定されている。
【００２５】
窓開閉軸１６およびシート締緩軸１９はビニールハウス１０の長さよりそれぞれ若干長い。窓開閉軸１６の両端部およびシート締緩軸１９の両端部は、ビニールハウス１０の前後方向の両側から外方にそれぞれ突出している。窓開閉軸１６の一端部およびシート締緩軸１９の一端部には、ギヤボックス２１がそれぞれ設けられている。また、窓開閉軸１６の他端部およびシート締緩軸１９の他端部には、チェーンＣを介して、バランスウエイトＷがそれぞれ吊下されている。各ギヤボックス２１には、下端部にハンドル１５Ａ，１５Ｂが回転自在に連結された長尺な操作シャフト２２の上端部がそれぞれ軸支されている。各ハンドル１５Ａ，１５Ｂは、対応する操作シャフト２２の長さ方向に直交する方向に屈曲している。
【００２６】
次に、図１を参照して、この考案の実施例１に係るビニールハウス１０の換気方法を説明する。
窓閉鎖時には、まず、窓開閉時には、まず両シート締緩軸１９用のハンドル１５をシート緩め側に回転させ、両シート締緩軸１９から各押さえバンド１８を繰出してこれらを緩め、各押さえバンド１８による対応する窓カバー１４の前記天井部分からの押し付け状態を解除する。その後、窓開閉手段１７による窓開閉操作を行う。
【００２７】
すなわち、窓閉鎖時には、両窓開閉軸１６用のハンドル１５Ａを窓閉鎖側に回転させ、窓開閉軸１６から窓カバー１４を繰出す。その際、両窓カバー１４は、対応する窓開閉軸１６の重さによってビニールハウス１０の天井部分の外周面に沿って展張状態で徐々に繰り出される。こうして、各円窓１３は両窓カバー１４により一括して閉鎖される。
【００２８】
一方、窓開放時には、両ハンドル１５Ａ，１５Ｂを窓開放側に回転させ、窓開閉軸１６に窓カバー１４を巻き取ることで、全ての円窓１３を開放させる。これにより、簡単な構造で、全ての円窓１３を一括して開閉操作することができる。
窓閉鎖後および窓開放後には、両シート締緩軸１９用のハンドル１５Ｂをバンド締め側に回転させ、両シート締緩軸１９に各押さえバンド１８を巻取る。これにより、各押さえバンド１８を引き締め、両窓カバー１４をビニールハウス１０の天井部分に押し付ける。これにより、簡単な構造で、窓カバー１４の風によるバタつきを防止することができる。
【００２９】
このように、ビニールハウス１０の天井に複数の円窓１３を形成したので、ビニールハウス１０の天井部分の換気を良好に行うことができる。しかも、仮に、円窓１３ではなく角窓を採用した場合には、引っ張り力に対する抵抗が小さい隅部が存在してしまう。しかしながら、実施例１では、このような角窓ではなく、隅部が存在しない円窓１３を採用したので、天井部分のビニールシート１２に対して、何れの方向から引っ張り力が作用しても、ビニールシート１２が破れ難い。
【００３０】
また、円窓１３は、ビニールハウス１０の長さ方向の全長にわたって、一定ピッチで複数配置されている。そのため、ビニールハウス１０の天井部分に、仮にビニールハウス１０の長さ方向の半分程度の大きの角窓を形成したときには得られなかった、この天井部分の全域にわたる均一な換気性を確保することができる。
さらに、ビニールシート１２の天井部分に、ハウス長さ方向の全長にわたって一定ピッチで複数の換気用の円窓１３をそれぞれ形成するようにしたので、ビニールシート１２の天井部分の強度低下を招くことなく、ビニールハウス１０の天井部分の一側部だけでなく、他側部にもそれぞれ円窓１３を形成することができる。その結果、ビニールハウス１０の天井部分の換気性をさらに高めることができる。
【図面の簡単な説明】
【００３１】
【図１】この考案の実施例１に係るビニールハウスの全体斜視図である。
【符号の説明】
【００３２】
１０  ビニールハウス
１１  骨組
１２  ビニールシート
１３  円窓
１４  窓カバー
１５Ａ，１５Ｂ  ハンドル
１６  窓開閉軸
１７  窓開閉手段
１８  押さえバンド
１９  シート締緩軸
２０  カバー押さえ手段
【図１】
0003109427.tif 000003